(57)【特許請求の範囲】
【請求項１】
導通可能な反射板露出部と、略円形状の反射板係止具取付穴とを有し、上記反射板露出部は上記反射板係止具取付穴の内壁である反射板と、
上記反射板露出部と接触することにより上記反射板と導通する２つの本体接触部と、略長方形状の本体係止具取付穴とを有する反射板取付部を備える本体と、
上記反射板係止具取付穴及び上記本体係止具取付穴に係合し、上記反射板と上記本体とを係止して、上記反射板露出部と上記本体接触部とが接触した状態で固定する係止具とを有し、
上記２つの本体接触部は、略台形板状であり、上記本体係止具取付穴を挟んで互いに対向し、上記反射板取付部から上記反射板の方向へ突出し、上記２つの本体接触部の間隔は上記反射板係止具取付穴の直径より狭く、上記反射板と上記本体とが上記係止具により固定されたとき、上記２つの本体接触部の上記反射板の方向へ突出した先端が上記反射板係止具取付穴に挿入され、上記反射板の方向へ突出した先端の辺に隣接する２つの辺が上記反射板露出部と接触して導通することを特徴とする照明器具。
【請求項２】
上記２つの本体接触部の上記反射板の方向へ突出した先端の辺の長さは、上記本体係止具取付穴の中心から上記２つの本体接触部の間隔の半分だけ離れた直線を上記本体係止具取付穴で切り取った弦の長さより短く、上記２つの本体接触部の上記反射板の方向へ突出した先端の辺の対辺の長さは、上記弦の長さより長いことを特徴とする請求項１に記載の照明器具。
【請求項３】
導通可能な反射板露出部と、略円形状の反射板係止具取付穴とを有し、上記反射板露出部は上記反射板係止具取付穴を打ち抜き加工により設けた際に上記反射板係止具取付穴の周辺に生じるバリである反射板と、
上記反射板露出部と接触することにより上記反射板と導通する２つの本体接触部と、略長方形状の本体係止具取付穴とを有する反射板取付部を備える本体と、
上記反射板係止具取付穴及び上記本体係止具取付穴に係合し、上記反射板と上記本体とを係止して、上記反射板露出部と上記本体接触部とを圧接し、上記反射板露出部を変形させた状態で固定する係止具とを有し、
上記２つの本体接触部は、略台形板状であり、上記本体係止具取付穴を挟んで互いに対向し、上記反射板取付部から上記反射板の方向へ突出し、上記２つの本体接触部の間隔は上記反射板係止具取付穴の直径より狭く、上記反射板と上記本体とが上記係止具により固定されたとき、上記２つの本体接触部の上記反射板の方向へ突出した先端が上記反射板露出部と圧接し、上記反射板露出部を塑性変形させて導通することを特徴とする照明器具。
【請求項４】
上記２つの本体接触部と上記反射板露出部とは、四方対称な４つの点で接触することを特徴とする請求項１乃至請求項３のいずれかに記載の照明器具。
【請求項５】
上記係止具は、弾性力を有し、上記弾性力により、上記反射板露出部と上記本体接触部とを接触させることを特徴とする請求項１乃至請求項４のいずれかに記載の照明器具。
【請求項６】
導通可能な反射板露出部と反射板係止具取付穴とを有し、上記反射板露出部は上記反射板係止具取付穴の内壁である反射板と、上記反射板係止具取付穴に係合し、上記反射板を係止する係止具とを備える照明器具に用いる反射板取付架台において、
上記係止具と係合する本体係止具取付穴と、
上記係止具に係止されることにより、上記反射板露出部と接触し、上記反射板と導通する２つの本体接触部とを有し、
上記２つの本体接触部は、略台形板状であり、上記本体係止具取付穴を挟んで互いに対向し、上記反射板の方向へ突出し、上記２つの本体接触部の間隔は上記反射板係止具取付穴の直径より狭く、上記反射板と上記本体とが上記係止具により固定されたとき、上記２つの本体接触部の上記反射板の方向へ突出した先端が上記反射板係止具取付穴に挿入され、上記反射板の方向へ突出した先端の辺に隣接する２つの辺が上記反射板露出部と接触して導通することを特徴とする反射板取付架台。
【請求項７】
上記２つの本体接触部の上記反射板の方向へ突出した先端の辺の長さは、上記本体係止具取付穴の中心から上記２つの本体接触部の間隔の半分だけ離れた直線を上記本体係止具取付穴で切り取った弦の長さより短く、上記２つの本体接触部の上記反射板の方向へ突出した先端の辺の対辺の長さは、上記弦の長さより長いことを特徴とする請求項６に記載の反射板取付架台。
【請求項８】
導通可能な反射板露出部と反射板係止具取付穴とを有し、上記反射板露出部は上記反射板係止具取付穴を打ち抜き加工により設けた際に上記反射板係止具取付穴の周辺に生じるバリである反射板と、上記反射板係止具取付穴に係合し、上記反射板を係止する係止具とを備える照明器具に用いる反射板取付架台において、
上記係止具と係合する本体係止具取付穴と、
上記係止具に係止されることにより、上記反射板露出部と接触し、上記反射板と導通する２つの本体接触部とを有し、
上記２つの本体接触部は、略台形板状であり、上記本体係止具取付穴を挟んで互いに対向し、上記反射板の方向へ突出し、上記２つの本体接触部の間隔は上記反射板係止具取付穴の直径より狭く、上記反射板と上記本体とが上記係止具により固定されたとき、上記２つの本体接触部の上記反射板の方向へ突出した先端が上記反射板露出部と圧接し、上記反射板露出部を塑性変形させて導通することを特徴とする反射板取付架台。
【発明の詳細な説明】
【技術分野】
【０００１】
この発明は、照明器具に関する。更に詳しくは、照明器具の反射板を確実に接地する技術に関する。
【背景技術】
【０００２】
蛍光灯点灯装置には、高周波インバータ回路を用いるので、高周波ノイズなどの電気的ノイズを発生する。
反射板は、照明器具の外部を覆う部分であるから、反射板を接地しておくことにより、高周波ノイズなどの電気的ノイズが外部に漏れるのを防ぐことができる。
【０００３】
従来、反射板を接地する方式としては、接地されている照明器具本体と反射板との間を配線でつなぐことなどが行われている。
【０００４】
また、反射板を照明器具本体に固定するための取付具を用いて、反射板と照明器具本体との間を電気的に導通させ、反射板を接地する技術もある。
【特許文献１】特開２０００−２３１８２０号公報
【特許文献２】特開２００１−００６４２９号公報
【特許文献３】特開２００３−１６８３１４号公報
【発明の開示】
【発明が解決しようとする課題】
【０００５】
反射板と照明器具本体とを配線でつなぐ方式では、照明器具設置現場における作業量が多くなり、設置コストがかかる。
また、配線を忘れるなどして、反射板が接地されない可能性もある。
【０００６】
取付具を用いて反射板を接地する方式では、手間がかからず、簡単に接地することができるが、確実に接地できるとは限らない。
【０００７】
この発明は、例えば、簡単かつ確実に、反射板と照明器具本体との間を電気的に導通させることを目的とする。
【課題を解決するための手段】
【０００８】
この発明にかかる照明器具は、
導通可能な反射板露出部と、反射板係止具取付穴とを有する反射板と、
上記反射板露出部と接触することにより上記反射板と導通する本体接触部と、本体係止具取付穴とを有する反射板取付部を備える本体と、
上記反射板係止具取付穴及び上記本体係止具取付穴に係合し、上記反射板と上記本体とを係止して、上記反射板露出部と上記本体接触部とが接触した状態で固定する係止具と、
を有することを特徴とする。
【発明の効果】
【０００９】
この発明にかかる照明器具によれば、反射板取付具（係止具）が、反射板の塗装されていないバリまたは内壁（反射板露出部）と、反射板取付架台の架台突起部（本体接触部）とが接触した状態で、照明器具本体（本体）に反射板を固定するので、照明器具本体（本体）と反射板とが確実に導通するという効果を奏する。
【発明を実施するための最良の形態】
【００１０】
実施の形態１．
実施の形態１を、図１〜図１３を用いて説明する。
【００１１】
図１は、この実施の形態における照明器具１００の外観を示す斜視図である。
照明器具１００は、照明器具本体１１０と、反射板１２０と、反射板取付具１３０とを有する。
【００１２】
照明器具本体１１０（本体）は、ソケット１１９に取り付けた蛍光灯（図示しない）を点灯させる点灯装置などを備え、電気的に接地されている。
【００１３】
反射板１２０は、ソケット１１９に取り付けた蛍光灯の光を反射するよう、表面が塗装された金属板である。
【００１４】
反射板取付具１３０（係止具）は、反射板１２０を照明器具本体１１０に固定するための固定具である。
反射板取付具１３０は、クイックラッチ、ターンファスナー、回転係止具などとも呼ばれる。
【００１５】
図２は、この実施の形態における照明器具１００の反射板取付構造を示す分解斜視図である。
【００１６】
照明器具本体１１０は、本体箱部１１７と、反射板取付架台１１１とを有する。
本体箱部１１７は、点灯装置などを収める筐体であり、電気的に接地されている。
【００１７】
反射板取付架台１１１（反射板取付部）は、反射板１２０を取り付けるための架台である。
反射板取付架台１１１は、本体箱部１１７に設けられた本体角穴部１１８にはめ込むことにより、本体箱部１１７に固定されるとともに、本体箱部１１７と電気的に導通する。したがって、反射板取付架台１１１も、本体箱部１１７と同様、電気的に接地されている。
【００１８】
反射板１２０は、反射板係止具取付穴１２１を有する。
反射板係止具取付穴１２１は、反射板取付具１３０を挿入するための穴である。
反射板係止具取付穴１２１は、例えば、反射板１２０の表面を塗装したのち、打ち抜き加工により設ける。
【００１９】
反射板取付具１３０は、反射板１２０の反射板係止具取付穴１２１と、反射板取付架台１１１の本体係止具取付穴１１３とに挿入し、照明器具本体１１０と、反射板１２０とを固定する。
【００２０】
図３は、この実施の形態における反射板取付架台１１１を示す三面図である。
このうち、図３（ａ）は平面図、図３（ｂ）は正面図、図３（ｃ）は底面図、図３（ｄ）は右側面図である。
【００２１】
反射板取付架台１１１は、例えば、金属板をプレス加工することにより成型した金具である。
反射板取付架台１１１は、架台爪部２１２と、架台凸部２１３と、架台凹部２１４と、架台突起部１１５と、本体係止具取付穴１１３とを有する。
【００２２】
架台爪部２１２は、反射板取付架台１１１の長手方向両端を、コ字状に成型した部分である。
架台爪部２１２は、本体箱部１１７に設けられた本体角穴部１１８にはめ込むことにより、係合し、反射板取付架台１１１を、本体箱部１１７に固定する。
【００２３】
対向する一対の架台爪部２１２の間隔Ｗ１２は、本体箱部１１７の幅手方向の長さＷ１７（図２参照）よりも短い。
本体箱部１１７は、比較的薄い金属板（例えば、厚さ１ｍｍ程度）により成型されており、幅手方向（Ｗ１７の方向）に人力で容易に弾性変形できる。
【００２４】
反射板取付架台１１１を本体箱部１１７に取り付ける手順は、以下の通りである。
【００２５】
まず、本体箱部１１７の本体角穴部１１８付近を、手で押さえ、本体箱部１１７の幅Ｗ１７を、一時的に、Ｗ１２よりも小さくする。
次に、反射板取付架台１１１をはめ込む。
そして、本体箱部１１７を押さえていた手を離すと、本体箱部１１７は、金属の弾性により、元の形に復元する。これにより、架台爪部２１２と、本体角穴部１１８とが係合する。
【００２６】
こうして、反射板取付架台１１１が本体箱部１１７に固定される。また、架台爪部２１２が電気的に接地された本体箱部１１７に接触することにより、反射板取付架台１１１も、電気的に接地される。
【００２７】
架台凸部２１３は、架台表面２１５側に円形に膨らんでいる。架台凸部２１３は、組み立て後、反射板１２０と接触し、反射板１２０を支える。
しかし、架台凸部２１３が接触する反射板１２０の裏面は、通常、塗装されているため、反射板取付架台１１１と反射板１２０とは、架台凸部２１３を介して電気的に導通しない。
【００２８】
架台凹部２１４は、架台裏面２１６側に膨らんだ、おおむね菱形状の窪みである。
【００２９】
本体係止具取付穴１１３は、架台凹部２１４のおおむね中央に貫通して設けられた開口部である。
架台突起部１１５（本体接触部）は、本体係止具取付穴１１３の内部を、架台表面２１５側に折り曲げ、対向して２つ成型する。ここで、対向する２つの架台突起部１１５の間隔をＷ１とする。
本体係止具取付穴１１３は、おおむね長方形状であり、反射板取付架台１１１の長手方向と、おおむね等しい方向を長手方向とする。
本体係止具取付穴１１３の長手方向の長さＬ１は、反射板１２０に設けられた反射板係止具取付穴１２１の直径Ｒ１よりも長い。
本体係止具取付穴１１３の幅手方向の長さＷ１は、反射板係止具取付穴１２１の直径Ｒ１よりも短い。
【００３０】
架台突起部１１５は、本体係止具取付穴１１３の幅手方向両端で、架台凹部２１４とつながっている。
架台突起部１１５の先端は、架台表面２１５の高さよりもわずかに突出し、架台凸部２１３の高さとおおむね同じ高さに位置する。
架台突起部１１５は、２点鎖線で示した反射板１２０の反射板係止具取付穴１２１と接触する。これにより、反射板１２０と反射板取付架台１１１とが電気的に導通し、反射板１２０が電気的に接地される。
【００３１】
図４は、この実施の形態における反射板取付具１３０を示す三面図である。
このうち、図４（ａ）は平面図、図４（ｂ）は正面図、図４（ｃ）は底面図、図４（ｄ）は右側面図である。
【００３２】
反射板取付具１３０は、内部に金属の芯を有するプラスチックなどの非導通性素材で成型する。
【００３３】
反射板取付具１３０は、反射板押さえ部１３１と、係止具軸部１３２と、本体押さえ部１３３とを有する。
【００３４】
反射板押さえ部１３１は、直径Ｒ３のおおむね円形である。反射板押さえ部１３１の下部には、つまみ状の係止具操作部１３４が形成されている。
係止具操作部１３４は、反射板取付具１３０を回転操作するためのつまみである。
【００３５】
また、反射板押さえ部１３１の上側は、おおむね平らに成型されており、押さえる方向に対して弾性を有するように、反射板押さえ面１３６を形成している。
反射板押さえ部１３１の直径Ｒ３は、反射板１２０の反射板係止具取付穴１２１の直径Ｒ１よりも大きいので、反射板取付具１３０を反射板１２０の反射板係止具取付穴１２１に取り付けると、反射板押さえ面１３６が反射板１２０の表面と係合し、反射板押さえ面１３６の弾性力で、反射板１２０を押さえる。
【００３６】
係止具軸部１３２は、反射板押さえ部１３１の反射板押さえ面１３６のおおむね中央からおおむね垂直に突出した軸状の部分である。
係止具軸部１３２を水平面で切った断面は、おおむね楕円形状である。断面楕円形の長軸の長さＬ４は、反射板取付架台１１１の架台突起部１１５の間隔Ｗ１とほぼ等しい。また、断面楕円形の短軸の長さＷ３は、反射板取付架台１１１の架台突起部１１５の間隔Ｗ１よりも短い。
【００３７】
係止具軸部１３２は、反射板１２０の反射板係止具取付穴１２１及び反射板取付架台１１１の本体係止具取付穴１１３に挿入し、係止具軸部１３２を軸として、反射板取付具１３０を回転できる。
【００３８】
本体押さえ部１３３は、係止具軸部１３２の先端に形成される。
本体押さえ部１３３は、係止具軸部１３２の断面楕円形の長軸方向を長手方向とする。本体押さえ部１３３の長手方向の長さＬ３は、架台突起部１１５の間隔Ｗ１よりも長く、反射板係止具取付穴１２１の直径Ｒ１よりも短い。また、本体押さえ部１３３の幅手方向の長さは、係止具軸部１３２の断面長方形の短辺方向の長さＷ３と、おおむね等しい。
【００３９】
これにより、係止具軸部１３２を本体係止具取付穴１１３に挿入し、係止具軸部１３２の断面楕円形の長軸方向を、本体係止具取付穴１１３の幅手方向と、おおむね一致させて固定した場合、本体押さえ部１３３の下部にある本体押さえ面１３８が、反射板取付架台１１１の本体係止具取付穴１１３周辺の架台裏面２１６と係合する。これにより、反射板取付具１３０が係止具軸部１３２の軸方向に移動できなくなり、固定される。
【００４０】
また、本体押さえ面１３８と反射板押さえ面１３６との間隔Ｈ３は、反射板１２０の厚さと、反射板取付架台１１１の架台突起部１１５の高さとを合わせた長さに、おおむね等しい。
【００４１】
図５は、この実施の形態における照明器具１００において、反射板取付架台１１１と、反射板１２０と、反射板取付具１３０との係合部分を示す拡大分解斜視図である。
なお、反射板１２０は、反射板係止具取付穴１２１周辺の部分のみを示している。また、本体箱部１１７は、省略している。
【００４２】
反射板１２０を照明器具本体１１０の反射板取付架台１１１に取り付けるにあたり、反射板取付架台１１１に設けた本体係止具取付穴１１３の中心と、反射板１２０に設けた反射板係止具取付穴１２１の中心とが一致するように重ねあわせ、その中心に、反射板取付具１３０の中心軸をあわせて、係止具軸部１３２及び本体押さえ部１３３を、反射板係止具取付穴１２１及び本体係止具取付穴１１３に挿入する。
このとき、係止具軸部１３２の断面楕円形の長軸方向は、本体係止具取付穴１１３の長手方向（反射板取付架台１１１の長手方向、照明器具本体１１０及び反射板１２０の幅手方向）と一致させる。
【００４３】
本体押さえ部１３３が、反射板取付架台１１１の架台裏面２１６側に出るところまで挿入したのち、係止具操作部１３４に力を加えて反射板取付具１３０を９０度回転させ、係止具軸部１３２の断面楕円形の長軸方向を本体係止具取付穴１１３の幅手方向（反射板取付架台１１１の幅手方向、照明器具本体１１０及び反射板１２０の長手方向）と一致させる。
【００４４】
これにより、反射板取付具１３０が固定され、反射板押さえ面１３６と本体押さえ面１３８との間に反射板１２０及び反射板取付架台１１１が挟まれるので、反射板１２０が照明器具本体１１０に固定される。
【００４５】
図６は、この実施の形態における照明器具１００において、反射板取付架台１１１と、反射板１２０と、反射板取付具１３０との係合部分を示す拡大底面図（図６（ａ））及びＡ−Ａ断面図（図６（ｂ））及びＢ−Ｂ断面図（図６（ｃ））である。
なお、反射板１２０は、反射板係止具取付穴１２１周辺の部分のみを示している。また、本体箱部１１７は省略している。
【００４６】
反射板取付具１３０を挿入後９０度回転し、反射板１２０を固定した状態では、反射板取付具１３０の反射板押さえ面１３６と本体押さえ面１３８との間に、反射板１２０及び反射板取付架台１１１が挟まれることにより、反射板１２０が照明器具本体１１０に固定される。
【００４７】
反射板取付具１３０は、反射板押さえ面１３６が反射板１２０と係合しているので、これ以上Ｃ方向に動かすことはできない。また、本体押さえ面１３８が反射板取付架台１１１の架台裏面２１６と係合しているので、Ｃ’方向に動かすこともできない。
また、係止具軸部１３２の断面楕円形の長軸の長さと、本体係止具取付穴１１３の幅手方向の長さＷ１とをほぼ同じ長さとしているので、固定した際に、水平方向に対するガタ付きを抑えることができる。
これにより、反射板１２０が照明器具本体１１０に安定して固定される。
【００４８】
また、係止具操作部１３４に力を加えて、反射板取付具１３０を回転させれば、反射板取付具１３０を容易に取り外すことができるので、反射板１２０を取り外すことも容易である。
【００４９】
図７は、この実施の形態における照明器具１００において、反射板取付架台１１１と、反射板１２０とが電気的に導通する状態を示す拡大断面図である。
図７は、図６の破線で囲まれたＤの部分を拡大したものである。
なお、反射板取付具１３０は省略している。
【００５０】
反射板１２０の表面は、通常、塗装されているので、反射板取付架台１１１が接触しても電気的に導通しない。
しかし、反射板１２０に、反射板係止具取付穴１２１を打ち抜き加工によって設けることにより、反射板係止具取付穴１２１の内壁１２２及びその周辺に形成されるバリ１２６は塗装がされていない金属面がむき出しとなる。
反射板取付架台１１１の架台突起部１１５が、このむき出し部分に接触することにより、反射板取付架台１１１と反射板１２０とが電気的に導通する。
【００５１】
図８は、この実施の形態における照明器具１００において、反射板取付架台１１１と、反射板１２０とが電気的に導通する状態を示す拡大底面図（図８（ａ））及び断面斜視図（図８（ｂ））である。
なお、反射板取付具１３０は省略している。
【００５２】
反射板取付架台１１１の架台突起部１１５は、例えば台形状であり、先端が突起先端面２５２、側面が突起テーパー面２５１を形成している。
突起先端面２５２の長さＬ１５は、反射板係止具取付穴１２１の架台突起部１１５があたる位置の弦の長さＬ２１よりも長い。
【００５３】
反射板１２０は、表面が塗装された金属板を用いて形成する。したがって、反射板金属部１２８の表面を塗装面１２７が覆っており、表面に接触しても電気的に導通しない。
【００５４】
反射板１２０は、塗装加工後、打ち抜き加工により、反射板係止具取付穴１２１を形成する。打ち抜き加工において、組み立て後下側（外側）になる側から、打ち抜くことにより、組み立て後上側（内側）になる側にバリ１２６（打ち抜き返り部）が形成されるように加工する。
【００５５】
これにより、反射板係止具取付穴１２１の内壁１２２（反射板露出部の一例）は、塗装がされていないので、反射板金属部１２８がむき出しとなる。
また、バリ１２６（反射板露出部の別の例）の部分も塗装がはがれ、塗装がないか、あっても塗装が薄い状態になる。
【００５６】
照明器具本体１１０と、反射板１２０とを、反射板取付具１３０により固定すると、架台突起部１１５が、反射板１２０に押し当てられる。
このとき、突起先端面２５２の長さＬ１５が反射板係止具取付穴１２１の対応する弦の長さＬ２１よりも長いので、架台突起部１１５のうち、突起先端面２５２が反射板１２０に接触する。
また、反射板１２０は、バリ１２６が反射板取付架台１１１の側に形成されて、反射板１２０の反射板係止具取付穴周辺よりも、反射板取付架台１１１の側に突出している。
したがって、反射板１２０のうち、バリ１２６が反射板取付架台１１１に接触する。
こうして、バリ１２６が突起先端面２５２に押し当てられると、バリ１２６が塑性変形する。
【００５７】
バリ１２６の表面は、打ち抜き加工時に塗装がはがれ落ちている。あるいは、薄く塗装が残っていたとしても、突起先端面２５２に押し当てられて塑性変形することにより、塗装がはがれ落ちる。
【００５８】
したがって、反射板金属部１２８がむき出しになり、むき出しになった反射板金属部１２８と、突起先端面２５２とが接触するので、反射板取付架台１１１と反射板１２０とが電気的に導通する。
ここで、反射板取付架台１１１は電気的に接地されているので、反射板１２０も電気的に接地される。
【００５９】
なお、反射板１２０と架台突起部１１５とは、四方対称に４つの点で接触する。したがって、４つの点に均等に力が加わり、反射板１２０と架台突起部１１５とが安定して接触する。
【００６０】
図９は、この実施の形態における照明器具１００において、反射板取付架台１１１と、反射板１２０とが電気的に導通する他の状態を示す拡大底面図（図９（ａ））及び断面斜視図（図９（ｂ））である。
なお、反射板取付具１３０は省略している。
【００６１】
この例では、架台突起部１１５の根元部分の長さは、対応する弦の長さＬ２１より長いが、突起先端面２５２の長さＬ１５は、Ｌ２１より短い。
【００６２】
したがって、架台突起部１１５が反射板１２０に押し当てられると、突起先端面２５２は反射板係止具取付穴１２１のなかに入り、反射板１２０と接触しない。
ここで、架台突起部１１５は、根元に近くなるほど長くなる台形状をしているので、その側面である突起テーパー面２５１が、バリ１２６に内壁１２２の側から接触する。
【００６３】
ここで、反射板係止具取付穴１２１は、反射板１２０を塗装加工したのちに打ち抜き加工により設けているので、反射板係止具取付穴１２１の内壁１２２は塗装されていない。
したがって、内壁１２２は反射板金属部１２８がむき出しとなっており、ここに架台突起部１１５の突起テーパー面２５１が接触することにより、反射板取付架台１１１と反射板１２０とが電気的に導通する。
ここで、反射板取付架台１１１は、電気的に接地されているので、反射板１２０も電気的に接地される。
【００６４】
なお、この場合は反射板係止具取付穴１２１の内壁１２２を反射板金属部１２８がむき出しとなった反射板露出部として利用するので、バリ１２６は必ずしも必要ない。
したがって、放電加工または切削加工のように、バリ１２６が形成されない加工方法によって反射板係止具取付穴１２１を設けてもよい。
【００６５】
図１０は、この実施の形態における照明器具１００を製造する照明器具製造方法を示すフローチャート図である。
【００６６】
Ｓ１１（反射板塗装工程）において、反射板１２０（金属板）の表面を塗装し、塗装面１２７を形成する。
【００６７】
Ｓ１２（反射板打抜工程）において、反射板１２０を打ち抜き加工し、反射板係止具取付穴１２１を形成する。
このとき、反射板係止具取付穴１２１の周辺に生じるバリ１２６が、反射板１２０の裏側（反射板取付架台１１１側）に生じるようにする。
反射板係止具取付穴１２１の形成により生じるバリ１２６及び反射板係止具取付穴１２１の内壁１２２は、塗装がされていない状態となり、反射板金属部１２８がむき出しとなる。
なお、放電加工または切削加工により反射板係止具取付穴１２１を形成してもよい。その場合、バリ１２６は生じないが、反射板係止具取付穴１２１の内壁１２２は、塗装がされていない状態となり、反射板金属部１２８がむき出しとなる。
【００６８】
Ｓ１３（架台取付工程）において、反射板取付架台１１１を本体箱部１１７に取り付ける。
これにより、反射板取付架台１１１と本体箱部１１７とが電気的に導通し、本体箱部１１７が電気的に接地すると、反射板取付架台１１１も電気的に接地される。
【００６９】
Ｓ１４（取付具挿入工程）において、反射板取付具１３０の係止具軸部１３２及び本体押さえ部１３３を、反射板係止具取付穴１２１及び本体係止具取付穴１１３に挿入する。
【００７０】
Ｓ１５（取付具固定工程）において、反射板取付具１３０を９０度回転する。
これにより、反射板取付具１３０の反射板押さえ面１３６と本体押さえ面１３８との間に、反射板１２０及び反射板取付架台１１１が挟まれ、反射板１２０と照明器具本体１１０とが固定され、反射板取付具１３０が固定される。
また、このとき、架台突起部１１５と、バリ１２６または内壁１２２とが接触し、電気的に導通する。本体箱部１１７が電気的に接地していれば、反射板１２０も電気的に接地する。
【００７１】
図１１は、この実施の形態における反射板取付架台１１１の形状の別の例を示す斜視図である。
本体係止具取付穴１１３は長方形状でなくてもよく、例えばこのように楕円状でもよいし、その他の形状でもよい。
また、反射板取付架台１１１の表面が反射板１２０のバリ１２６に接触するのであれば、架台突起部１１５はなくてもよい。
【００７２】
図１２は、この実施の形態における反射板取付架台１１１の形状の更に別の例を示す斜視図である。
本体係止具取付穴１１３の長手方向は、反射板取付架台１１１の長手方向と一致する必要はなく、例えばこのように反射板取付架台１１１の幅手方向と一致してもよいし、その他の方向でもよい。
架台突起部１１５は、台形である必要はなく、例えばこのように弓状でもよいし、その他の形状でもよい。
【００７３】
図１３は、この実施の形態における反射板取付架台１１１の形状の更に別の例を示す斜視図である。
架台凹部２１４は、菱形状である必要はなく、例えばこのように正方形状でもよいし、他の形状でもよい。
架台突起部１１５の数は、２つである必要はなく、例えばこのように８つでもよいし、その他の数でもよい。
【００７４】
この実施の形態における照明器具１００によれば、反射板取付具１３０（係止具）が、反射板１２０の塗装されていないバリ１２６または内壁１２２（反射板露出部）と、反射板取付架台１１１の架台突起部１１５（本体接触部）とが接触した状態で固定するので、照明器具本体１１０（本体）と反射板１２０とが確実に導通するという効果を奏する。
【００７５】
この実施の形態における照明器具１００によれば、反射板１２０に反射板係止具取付穴１２１を形成する打ち抜き加工によって生じたバリ１２６または反射板係止具取付穴１２１の内壁１２２が、反射板露出部として、反射板取付架台１１１と接触するので、反射板露出部を形成するための特別な工程は必要なく、照明器具本体１１０（本体）と反射板１２０とが導通した照明器具１００を製造するための製造コストを削減することができるという効果を奏する。
【００７６】
この実施の形態における照明器具１００によれば、架台突起部１１５（本体接触部）が、本体係止具取付穴１１３の周辺部よりも反射板１２０側に突出しているので、反射板取付具１３０により固定されると、反射板１２０のバリ１２６または内壁１２２に確実に接触し、照明器具本体１１０（本体）と反射板１２０とが確実に導通するという効果を奏する。
【００７７】
この実施の形態における照明器具１００によれば、架台突起部１１５（本体接触部）の先端（突起先端面２５２）が反射板係止具取付穴１２１に挿入された状態で反射板１２０の内壁１２２（反射板露出部）と接触するので、照明器具本体１１０（本体）と反射板１２０とが確実に導通するという効果を奏する。
【００７８】
この実施の形態における照明器具１００によれば、互いに対向した２つの架台突起部１１５が、それぞれ２点で反射板１２０のバリ１２６または内壁１２２に集中応力により接触するので、この４点に力が均等に加わり、照明器具本体１１０（本体）と反射板１２０とが確実に導通するという効果を奏する。
【００７９】
この実施の形態における照明器具製造方法によれば、反射板１２０を反射板取付具１３０（係止具）によって照明器具本体１１０（本体）に取り付ける反射板取付工程をするだけで、照明器具本体１１０（本体）と反射板１２０とが確実に導通するので、照明器具１００を設置する作業コストを削減でき、また、配線忘れなどが起こらないという効果を奏する。
【００８０】
この実施の形態における反射板取付架台１１１によれば、反射板取付具１３０により、反射板１２０を取り付けるだけで、架台突起部１１５（本体接触部）が反射板１２０のバリ１２６または内壁１２２（反射板露出部）に接触するので、照明器具本体１１０（本体）と反射板１２０とが確実に導通するという効果を奏する。
【００８１】
これにより、ランプ点灯装置を有する照明器具本体と反射板を電気的に接続して、反射板をアース接地するとともに電気的ノイズ（例えば、雑音端子電圧、妨害電力など）の低減を図ることができる。
【図面の簡単な説明】
【００８２】
【図１】実施の形態１における照明器具１００の外観を示す斜視図。
【図２】実施の形態１における照明器具１００の反射板取付構造を示す分解斜視図。
【図３】実施の形態１における反射板取付架台１１１を示す三面図。
【図４】実施の形態１における反射板取付具１３０を示す三面図。
【図５】実施の形態１における照明器具１００において、反射板取付架台１１１と、反射板１２０と、反射板取付具１３０との係合部分を示す拡大分解斜視図。
【図６】実施の形態１における照明器具１００において、反射板取付架台１１１と、反射板１２０と、反射板取付具１３０との係合部分を示す拡大底面図及びＡ−Ａ断面図及びＢ−Ｂ断面図。
【図７】実施の形態１における照明器具１００において、反射板取付架台１１１と、反射板１２０とが電気的に導通する状態を示す拡大断面図。
【図８】実施の形態１における照明器具１００において、反射板取付架台１１１と、反射板１２０とが電気的に導通する状態を示す拡大底面図及び断面斜視図。
【図９】実施の形態１における照明器具１００において、反射板取付架台１１１と、反射板１２０とが電気的に導通する他の状態を示す拡大底面図及び断面斜視図。
【図１０】実施の形態１における照明器具１００を製造する照明器具製造方法を示すフローチャート図。
【図１１】実施の形態１における反射板取付架台１１１の形状の別の例を示す斜視図。
【図１２】実施の形態１における反射板取付架台１１１の形状の更に別の例を示す斜視図。
【図１３】実施の形態１における反射板取付架台１１１の形状の更に別の例を示す斜視図。
【符号の説明】
【００８３】
１００  照明器具、１１０  照明器具本体、１１１  反射板取付架台、１１３  本体係止具取付穴、１１５  架台突起部、１１７  本体箱部、１１８  本体角穴部、１１９  ソケット、１２０  反射板、１２１  反射板係止具取付穴、１２２  内壁、１２６  バリ、１２７  塗装面、１２８  反射板金属部、１３０  反射板取付具、１３１  反射板押さえ部、１３２  係止具軸部、１３３  本体押さえ部、１３６  反射板押さえ面、１３８  本体押さえ面、２１２  架台爪部、２１３  架台凸部、２１４  架台凹部、２１５  架台表面、２１６  架台裏面、２５１  突起テーパー面、２５２  突起先端面。
【図１】
0004594870.tif 000002
【図２】
0004594870.tif 000003
【図３】
0004594870.tif 000004
【図４】
0004594870.tif 000005
【図５】
0004594870.tif 000006
【図６】
0004594870.tif 000007
【図７】
0004594870.tif 000008
【図８】
0004594870.tif 000009
【図９】
0004594870.tif 000010
【図１０】
0004594870.tif 000011
【図１１】
0004594870.tif 000012
【図１２】
0004594870.tif 000013
【図１３】
0004594870.tif 000014